(57)【要約】      （修正有）【課題】 印鑑に何らの加工を施すことなく、かつ印鑑とともに持ち運びぶことが煩わしくなく、そして印影を真っ直ぐに捺印できるガイド機能を有する印鑑補助具を提供する。【解決手段】印影を真っ直ぐに捺印するための印鑑補助具１であって、印鑑の上部に被冠されるキャップ、若しくは印鑑に被装される有蓋円筒の上面に十文字状の上面パターン２が形設され、同パターン２端から同キャップの側面に沿って下方に刻設された横溝に方向指示パターン３ｂを有する方向指示棒３がその下端部を展開自在に枢支されてなる印鑑補助具１による。【選択図】図１
2008036879.tif 000002
【特許請求の範囲】
【請求項１】
印影を真っ直ぐに捺印するために印鑑の上部に被冠されるキャップからなる印鑑補助具であって、
前記キャップが、その上面に形設された十文字状の上面パターンと、前記上面パターンの端部から同キャップの側面に沿って下方に刻設された４本の縦溝とを有し、かつ前記縦溝それぞれに方向指示棒がその下端部を前記縦溝の下部に展開自在に枢支されてなることを特徴とする印鑑補助具。
【請求項２】
印影を真っ直ぐに捺印するために印鑑の上部に被冠されるキャップからなる印鑑補助具であって、
前記キャップが、その上面に形設された十文字状の上面パターンと、前記上面パターンの端部から同キャップの側面に沿って下方に刻設された４本の縦溝と、上下端部に周設されたフランジとを有し、かつ前記縦溝それぞれに方向指示棒がその下端部を前記縦溝の下部に展開自在に枢支され、さらに前記４本の方向指示棒の展開と縦溝への収納を４本同時に実行するためのリングをキャップの側面に摺動可能に周設されなることを特徴とする印鑑補助具。
【請求項３】
印影を真っ直ぐに捺印するために印鑑に被装する有蓋筒状の印鑑補助具であって、
前記有蓋筒が、その上面に形設された十文字状の上面パターンと、前記上面パターンの端部から同有蓋筒の側面に沿って下方に刻設された４本の縦溝を有し、かつ前記縦溝それぞれに方向指示棒がその下端を前記縦溝の下部に展開自在に枢支されてなることを特徴とする印鑑補助具。
【請求項４】
印影を真っ直ぐに捺印するために印鑑に被装する有蓋筒状の印鑑補助具であって、
前記有蓋筒が、その上面に形設された十文字状の上面パターンと、前記上面パターンの端部から同キャップの側面に沿って下方に刻設された４本の縦溝と、上下端部に周設されたフランジとを有し、かつ前記縦溝それぞれに方向指示棒がその下端部を前記縦溝の下部に展開自在に枢支され、さらに前記４本の方向指示棒の展開と縦溝への収納を４本同時に実行するためのリングをキャップの側面に摺動可能に周設されなることを特徴とする印鑑補助具。
【請求項５】
前記方向指示棒が、長さ調整機構を備えてなることを特徴とする請求項１〜４のいずれか１項に記載の印鑑補助具。
【請求項６】
前記方向指示棒が、その上下両面に方向指示パターンを備えてなることを特徴とする請求項１〜５のいずれか１項に記載の印鑑補助具。
【請求項７】
前記十文字状の上面パターン及び／又は前記方向指示パターンが、刻設されてなるものであることを特徴とする請求項１〜６のいずれか１項に記載の印鑑補助具。
【請求項８】
前記十文字状の上面パターン及び／又は前記方向指示パターンが、塗布されてなるものであることを特徴とする請求項１〜６のいずれか１項に記載の印鑑補助具。
【請求項９】
前記十文字状の上面パターン及び／又は前記方向指示パターンが、貼設されてなるものであることを特徴とする請求項１〜６のいずれか１項に記載の印鑑補助具。
【請求項１０】
前記十文字状の上面パターン及び／又は前記方向指示棒パターンが、外部からの光を反射して光輝を発する部材を有してなるものであることを特徴とする請求項１〜９のいずれか１項に記載の印鑑補助具。
【請求項１１】
前記外部からの光を反射して光輝を発する部材が、キャップの上面に刻設された十文字状の上面パターンに埋設されてなることを特徴とする請求項１〜１０のいずれか１項に記載の印鑑補助具。
【請求項１２】
前記外部からの光を反射して光輝を発する部材が、単色又は複数色の天然宝石又は人工宝石であることを特徴とする請求項１０又は１１に記載の印鑑補助具。
【請求項１３】
前記外部からの光を反射して光輝を発する部材が、単色又は複数色の天然宝石又は人工宝石の小片であることを特徴とする請求項１０又は１１に記載の印鑑補助具。
【請求項１４】
前記外部からの光を反射して光輝を発する部材が、単色又は複数色の透明な合成樹脂で、かつその表面が光を反射するように加工されてなるものであることを特徴とする請求項１０又は１１に記載の印鑑補助具。
【請求項１５】
前記外部からの光を反射して光輝を発する部材が、反射板であることを特徴とする請求項１０または１１に記載の印鑑補助具。
【請求項１６】
前記十文字状の上面パターン及び／又は前記方向指示棒パターンが、
印鑑の上下左右を明示するようそれぞれ異なった色に色分けされてなることを特徴とする請求項１〜１５のいずれか１項に記載の印鑑補助具。
【請求項１７】
前記印鑑補助具が、接着剤により印鑑の上部に固結されるものであることを特徴とする請求項１〜１６のいずれか１項に記載の印鑑補助具。
【請求項１８】
前記印鑑補助具が、着脱自在に印鑑の上部に被冠、若しくは被装されるものであることを特徴とする請求項１〜１６のいずれか１項に記載の印鑑補助具。
【請求項１９】
前記印鑑補助具が、非捺印時には、印鑑の下部に被冠、若しくは被装される捺印面の保護用具であることを特徴とする請求項１〜１６又は１８のいずれか１項に記載の印鑑補助具。
【請求項２０】
請求項１〜１９のいずれか１項に記載の印鑑補助具が、印鑑の上部に被冠、若しくは被装されてなることを特徴とする印鑑。
【発明の詳細な説明】
【技術分野】
【０００１】
本発明は、印鑑の補助具に係り、特に印影が真っ直ぐに捺印できる印鑑補助具に関する。
【背景技術】
【０００２】
従来、印鑑の印影を真っ直ぐに捺印するには押印時に細心の注意を払う必要があり、十分に注意をしていても、真っ直ぐに捺印するのは非常に難しく、しかも真っ直ぐに捺印できず不格好になってしまったとしても、捺印し直すことができない書類も少なくない。
そこで印影を真っ直ぐに捺印するために、物理的に開閉できる補助棒を本体に枢着した印鑑や、捺印面に敷設して使用する各種印鑑外形を打ち抜いた薄板でなる補助具等の発明や考案がなされ、公開されている。
【特許文献１】特開２０００−２８９３１５号公報
【特許文献２】特開平９−１３６４７５号公報
【特許文献３】特開平８−２４４３２８号公報
【発明の開示】
【発明が解決しようとする課題】
【０００３】
しかし、印鑑本体に補助棒を有するものは、印鑑に補助棒を取り付けるために加工を施す必要があり、使用中の印鑑には適用できないのは言うまでもなく、印材や印鑑の大きさによっては加工が困難なものも出てくる。
また、捺印面に敷設して使用する補助具も、現用の印鑑に適用できる利点はあるものの印鑑とともに該補助具を一緒に持ち歩いて捺印の度ごとに捺印面に敷設する必要があり、かつ、特開平８−２４４３２８号公報に開示の印鑑補助具では、使用する印鑑の外形に合わせて薄板を打ち抜かねばならず、その抜き型に手が掛かるという問題があった。
本発明は、印鑑に何らの加工を施すことなく、かつ印鑑とともに持ち運びぶことが煩わしくなく、そして印影を真っ直ぐに捺印できるガイド機能を有する印鑑補助具を提供するものである。
【課題を解決するための手段】
【０００４】
上記背景技術に鑑み、本発明者は鋭意実験研究の結果、上記課題を次の手段により解決した。
（１）印影を真っ直ぐに捺印するために印鑑の上部に被冠されるキャップからなる印鑑補助具であって、
前記キャップが、その上面に形設された十文字状の上面パターンと、前記上面パターンの端部から同キャップの側面に沿って下方に刻設された４本の縦溝とを有し、かつ前記縦溝それぞれに方向指示棒がその下端部を前記縦溝の下部に展開自在に枢支されてなることを特徴とする印鑑補助具。
【０００５】
（２）印影を真っ直ぐに捺印するために印鑑の上部に被冠されるキャップからなる印鑑補助具であって、
前記キャップが、その上面に形設された十文字状の上面パターンと、前記上面パターンの端部から同キャップの側面に沿って下方に刻設された４本の縦溝と、上下端部に周設されたフランジとを有し、かつ前記縦溝それぞれに方向指示棒がその下端部を前記縦溝の下部に展開自在に枢支され、さらに前記４本の方向指示棒の展開と縦溝への収納を４本同時に実行するためのリングをキャップの側面に摺動可能に周設されなることを特徴とする印鑑補助具。
【０００６】
（３）印影を真っ直ぐに捺印するために印鑑に被装する有蓋筒状の印鑑補助具であって、
前記有蓋筒が、その上面に形設された十文字状の上面パターンと、前記上面パターンの端部から同有蓋筒の側面に沿って下方に刻設された４本の縦溝を有し、かつ前記縦溝それぞれに方向指示棒がその下端を前記縦溝の下部に展開自在に枢支されてなることを特徴とする印鑑補助具。
【０００７】
（４）印影を真っ直ぐに捺印するために印鑑に被装する有蓋筒状の印鑑補助具であって、
前記有蓋筒が、その上面に形設された十文字状の上面パターンと、前記上面パターンの端部から同キャップの側面に沿って下方に刻設された４本の縦溝と、上下端部に周設されたフランジとを有し、かつ前記縦溝それぞれに方向指示棒がその下端部を前記縦溝の下部に展開自在に枢支され、さらに前記４本の方向指示棒の展開と縦溝への収納を４本同時に実行するためのリングをキャップの側面に摺動可能に周設されなることを特徴とする印鑑補助具。
【０００８】
（５）前記方向指示棒が、長さ調整機構を備えてなることを特徴とする前項（１）〜（４）のいずれか１項に記載の印鑑補助具。
（６）前記方向指示棒が、その上下両面に方向指示パターンを備えてなることを特徴とする前項（１）〜（５）のいずれか１項に記載の印鑑補助具。
【０００９】
（７）前記十文字状の上面パターン及び／又は前記方向指示パターンが、刻設されてなるものであることを特徴とする前項（１）〜（６）のいずれか１項に記載の印鑑補助具。
（８）前記十文字状の上面パターン及び／又は前記方向指示パターンが、塗布されてなるものであることを特徴とする前項（１）〜（６）のいずれか１項に記載の印鑑補助具。
（９）前記十文字状の上面パターン及び／又は前記方向指示パターンが、貼設されてなるものであることを特徴とする前項（１）〜（６）のいずれか１項に記載の印鑑補助具。
【００１０】
（１０）前記十文字状の上面パターン及び／又は前記方向指示棒パターンが、外部からの光を反射して光輝を発する部材を有してなるものであることを特徴とする前項（１）〜（９）のいずれか１項に記載の印鑑補助具。
【００１１】
（１１）前記外部からの光を反射して光輝を発する部材が、キャップの上面に刻設された十文字状の上面パターンに埋設されてなることを特徴とする前項（１）〜（１０）のいずれか１項に記載の印鑑補助具。
【００１２】
（１２）前記外部からの光を反射して光輝を発する部材が、単色又は複数色の天然宝石又は人工宝石であることを特徴とする前項（１０）又は（１１）に記載の印鑑補助具。
（１３）前記外部からの光を反射して光輝を発する部材が、単色又は複数色の天然宝石又は人工宝石の小片であることを特徴とする請求項前項（１０）又は（１１）に記載の印鑑補助具。
（１４）前記外部からの光を反射して光輝を発する部材が、単色又は複数色の透明な合成樹脂で、かつその表面が光を反射するように加工されてなるものであることを特徴とする前項（１０）又は（１１）に記載の印鑑補助具。
（１５）前記外部からの光を反射して光輝を発する部材が、反射板であることを特徴とする前項（１０）又は（１１）に記載の印鑑補助具。
【００１３】
（１６）前記十文字状の上面パターン及び／又は前記方向指示棒パターンが、
印鑑の上下左右を明示するようそれぞれ異なった色に色分けされてなることを特徴とする前項（１）〜（１５）のいずれか１項に記載の印鑑補助具。
【００１４】
（１７）前記印鑑補助具が、接着剤により印鑑の上部に固結されるものであることを特徴とする前項（１）〜（１６）のいずれか１項に記載の印鑑補助具。
【００１５】
（１８）前記印鑑補助具が、着脱自在に印鑑の上部に被冠、若しくは被装されるものであることを特徴とする前項（１）〜（１６）のいずれか１項に記載の印鑑補助具。
【００１６】
（１９）前記印鑑補助具が、非捺印時には、印鑑の下部に被冠、若しくは被装される捺印面の保護用具であることを特徴とする前項（１）〜（１６）又は（１８）のいずれか１項に記載の印鑑補助具。
【００１７】
（２０）前項（１）〜（１９）いずれか１項に記載の印鑑補助具が、印鑑の上部に被冠、若しくは被装されてなることを特徴とする印鑑。
【発明の効果】
【００１８】
本発明により下記のような効果が期待できる。
（ア）本発明の印鑑補助具は、印鑑の上部に被冠されるキャップ、又は印鑑に被装される有蓋円筒でなり、同キャップ又は有蓋円筒の上面には十文字状の上面パターンが形設され、またその側面には上面パターン端部から下方に刻設された４本の縦溝にそれぞれ方向指示棒が展開自在に枢支され、その方向指示棒には縦方向指示パターン横方向指示パターンを備えているで、捺印の際、前記方向指示棒を展開し、前記上面パターン及び方向指示棒の前記縦方向指示パターン、横方向指示パターンを捺印物の縦線又は／及び横線（例えば紙の端面）と平行に配置することによって、印影を確実に真っ直ぐ捺印することができる。
【００１９】
（イ）また、本発明の印鑑補助具の方向指示棒は、前記印鑑補助具の側面に刻設された横溝に収納されたとき該印鑑補助具の側面となる面に縦横の方向指示パターンを備えているので、該方向指示パターンを印鑑挿入ガイドとして使用することにより印鑑補助具を正確に印鑑に被冠、若しくは被装でき、印影を確実に真っ直ぐ捺印することができる。
【００２０】
（ウ）本発明の印鑑補助具は、その上面に形設される上面パターン及び／又は前記方向指示棒の縦方向指示パターン、横方向指示パターンを、刻設、塗布、貼設等により構成することができるので、前記各パターンは確認しやすく、かつ耐久性がよい。
さらに、前記上面パターン及び／又は縦方向指示パターン、横方向指示パターンを、外部からの光を反射して光輝を発する部材を用いて構成することができるので、印鑑補助具の外観が優雅で高級感を備えるものとなる。
【００２１】
（エ）前記上面パターン及び／又は縦方向指示パターン、横方向指示パターンが、上面の十文字状の中心から４方向に単色又は各方向にそれぞれ異なった色に色分けされて構成することができるので、例えば、周知の風水パワーを表す色彩として、赤、黄、青、緑等に色分けし、前記上面パターン及び／又は縦方向指示パターン、横方向指示パターンごとに異なる色彩、あるいは４色を交互に配列することにより、印鑑の所持時及び捺印の際、意識の高揚と安心感を得ることができる。
【００２２】
（オ）本発明の印鑑補助具は、印鑑の不使用時には、印鑑の下部に被冠若しくは被装することができるので、捺印面の保護ができ、かつ印鑑と一体として保管でき、紛失のおそれもなく、印鑑と別に持ち歩く煩わしさもない。
【００２３】
（カ）前記方向指示棒が長さ調整機構を備えているので、該方向指示棒を延伸することによって、捺印物の縦線、及び横線との平行がとりやすくなり、より正確に印影を真っ直ぐ捺印することができる。
【発明を実施するための最良の形態】
【００２４】
以下図面に基づいて、発明を実施するための最良の形態を説明する。
【実施例１】
【００２５】
図１は本発明の印鑑補助具の一実施例の外観図で（ａ）は方向指示棒を印鑑補助具側面の縦溝に収納した状態を示しており、（ｂ）は方向指示棒を四方に展開した状態を示している。また図２は図１に示した本発明の印鑑補助具の印鑑への着脱構造の説明図で、方向指示棒を四方に展開した状態の場合で示してある。
図３は図１に示した本発明の印鑑補助具を印鑑の上部に被冠した場合の外観図で、（ａ）は方向指示棒を印鑑補助具側面の縦溝に収納した状態、（ｂ）は方向指示棒を四方に展開した状態を示しており、図４は図１に示した本発明の印鑑補助具を印鑑の捺印部に被冠した場合の外観図である。
図において、１は印鑑補助具、１ａは印鑑補助具の上面、１ｂは印鑑補助具の側面、２は上面パターン、２ａは縦方向の線、２ｂは横方向の線、２ｃは上面パターン端部、３は方向指示棒、３、３’は方向指示パターン、４は縦溝、５は外側筒体、６は内側筒体、７は浅い溝であり、また１０は印鑑、１１は捺印部、１２は捺印ガイド用切欠きを示す。
【００２６】
本実施例の印鑑補助具１は、図３に示すように印影を真っ直ぐに捺印するために印鑑１０の上部に被冠されるキャップであって、図１に示すように、その上面１ａに十文字状の上面パターン２が形設され、また前記上面パターン２の端部から同印鑑補助具１の側面１ｂに沿って下方に刻設された４本の縦溝４を有し、かつ前記縦溝４それぞれに方向指示棒３がその下端部を前記縦溝４の下部に展開自在に枢支されて構成されている。
【００２７】
本実施例の印鑑補助具１の十文字状の上面パターン２は、その縦方向の線２ａと横方向の線２ｂの交点が印鑑補助具１の上面１ａの中心部に位置するように形設されており、印鑑１０に被冠する際には、その縦方向の線２ａが印影の上下方向と、またその横方向の線２ｂが印影の左右方向と一致するようにしてなされる。
また、上面パターン端部２ｃから印鑑補助具１の側面１ｂに沿って下方に刻設される縦溝４は、前記印鑑補助具１を印鑑１０に被冠して使用する際に、印影の上下方向及び左右方向に対して垂直に形成され、前記横溝４の下部に枢支された方向指示棒３を四方に展開した際、該方向指示棒３が前記上面パターン２の縦方向の線２ａ及び横方向の線２ｂの延長線上に位置するようになされている。
そして前記上面パターン２の縦方向の線２ａの延長線上に展開される方向指示棒３の、該方向指示棒３が展開された際に上面となる面に縦方向指示パターン３ａが、また該方向指示棒３を縦溝４に収納した際に印鑑補助具１の側面となる面に縦方向指示パターン３ａ’が備えられており、同様に、前記上面パターン２の横方向の線２ｂの延長線上に展開される方向指示棒３の、該方向指示棒３が展開された際に上面となる面に横方向指示パターン３ｂが、また該方向指示棒３を縦溝４に収納した際に印鑑補助具１の側面となる面に横方向指示パターン３ｂ’が備えられている。
なお、方向指示棒３を前記縦溝４に収納した際、印鑑補助具１の側面となる方向支持棒３の面に形設された縦方向指示パターン３ａ’、及び横方向指示パターン３ｂ’は、前記方向指示棒３を展開することなく捺印する場合に前記上面パターン２の機能を補助するほか、該印鑑補助具１を印鑑１０に被冠する際の挿入方向ガイドとしても使用できる。
【００２８】
前記十文字状の上面パターン２及び縦方向指示パターン３ａ、３ａ’、横方向指示パターン３ｂ、３ｂ’の形設手段としては、刻設、塗布、貼設あるいは描画などがあり、印鑑の長期使用に耐えうるパターンが形設されるものであればその形設手段を問うものではないが、強度、耐久性の点からは刻設が最も好ましい。
また、前記十文字状の上面パターン２及び縦方向指示パターン３ａ、３ａ’、横方向指示パターン３ｂ、３ｂ’としては、直線、曲線、波線、連続する模様、点などが挙げられるが、本実施例の印鑑補助具１を被冠した印鑑１０を用いて捺印する際、印影の上下左右を判別できる上面パターン２及び縦方向指示パターン３ａ、３ａ’、横方向指示パターン３ｂ、３ｂ’として使用者が認識できるものであれば、その表現方法を限定するものではない。
【００２９】
本実施例の印鑑補助具１は、印鑑１０に被冠して使用するものであるから、印鑑１０に容易に被冠でき、かつ印鑑１０に確実に固結できる着脱構造を備えていることが望まれる。例えば、図２の（ａ）断面図、（ｂ）下面図に示したように、外側筒体５と、その内周に配設された弾力性を有する内側筒体６とで構成し、前記内側筒体の内部に印鑑１０の上部を挿入するようにすれば被冠が容易で、かつ印鑑１０を傷つけることもない。印鑑補助具１の素材として、例えば前記外側筒体５にプラスチック、内側筒体６に弾力性を有する合成ゴム等を用いれば、既製の印鑑１０の形状（例えば丸形、楕円形）の外寸が多少異なっても挿入でき、かつ内側筒体６の持つ弾力で挿入した印鑑１０を締め付けるので、挿入した印鑑１０が印鑑補助具１の中で回動するおそれがなくなり、確実に固結でき印影を真っ直ぐ捺印することができるようになる。
なお、前記印鑑補助具１は、被冠する印鑑１０と同一又は類似の素材で構成したり、外側筒体４のみで形成したりできることはいうまでもない。
【００３０】
さらに、図２の（ｃ）に示したように、所要の印鑑９の外寸に合ったもの、あるいはやや大きめの印鑑補助具１であれば、例えば、その筒体の内側に数条の浅い溝７を凸設し、その弾力によって該印鑑補助具１を印鑑１０に密着させ、印鑑補助具１に挿入した印鑑１０が印鑑補助具１の中で回動するおそれをなくし、印影の真っ直ぐな捺印を可能にする。
また、前記印鑑補助具１を印鑑１０から取り外すには、前記印鑑補助具１から印鑑１０を引き抜けばよい。
【００３１】
図３は、図１に示した印鑑補助具１を印鑑１０に被冠した時の外観図である。（ａ）は方向指示棒３を印鑑補助具１の側面の縦溝４に収納した状態、（ｂ）は方向指示棒３を四方に展開した状態を示している。
本実施例の印鑑補助具１は、図３に示したように、その上面に上面パターン２が、又側面に刻設された縦溝４に枢支された方向指示棒３に縦方向指示パターン３ａ、３ａ’、横方向指示パターン３ｂ、３ｂ’が形設されているが、図３の（ａ）に示したように、方向指示棒３を印鑑補助具１の側面の縦溝４に収納した状態で前記方向指示棒３に表示される縦方向指示パターン３ａ’を挿入方向ガイドとし、これを印鑑１０の捺印ガイド用切欠き１２に合わて嵌入すれば、前記上面パターン２の十文字の縦の線２ａが印鑑１０の上下方向と、また十文字の横の線２ｂが左右方向と一致するので、前記印鑑補助具１を正確、容易に印鑑１０に被冠でき、印影を真っ直ぐに捺印できるようになる。
【００３２】
図４は、本実施例の印鑑補助具１を印鑑１０の下部に被冠した時の外観図である。
本実施例の印鑑補助具１は、印鑑１０の上部に着脱自在に被冠できるように構成されているので、印鑑１０の不使用時に印鑑１０の上部から取り外し、該印鑑１０の下部に被冠すれば捺印部１１の保護キャップとして使用できる。
【実施例２】
【００３３】
図５は本発明の印鑑補助具の他の実施例の外観図で、（ａ）は方向指示棒を印鑑補助具側面の縦溝に収納した状態を示しており、（ｂ）は方向指示棒を四方に展開した状態を示している。また図６は図５に示した本発明の印鑑補助具の印鑑への着脱構造の説明図で、（ａ）は方向指示棒を印鑑補助具側面の縦溝に収納した状態を示しており、（ｂ）は方向指示棒を四方に展開した状態を示している。
図７は図５に示した本発明の印鑑補助具を印鑑の上部に被冠した場合の外観図で、（ａ）は方向指示棒を印鑑補助具側面の縦溝に収納した状態、（ｂ）は方向指示棒を四方に展開した状態を示しており、図８は図５に示した本発明の印鑑補助具を印鑑の捺印部に被冠した場合の外観図である。
図において、１’は印鑑補助具、１’ａは印鑑補助具の上面、１’ｂは印鑑補助具の側面、１’ｃはフランジ、８はリングであり、他の記号の示すものは上記実施例１と同じである。
【００３４】
本実施例の印鑑補助具１’は、図７に示すように印影を真っ直ぐに捺印するために印鑑１０の上部に被冠されるキャップであって、図５に示すように、その上面１’ａに十文字状の上面パターン２が形設され、また前記上面パターン２の端部から同印鑑補助具１’の側面１’ｂに沿って下方に刻設された４本の縦溝４を有し、かつ前記縦溝４それぞれに方向指示棒３がその下端部を前記縦溝４の下部に展開自在に枢支され、さらに前記４本の方向指示棒３の展開と縦溝４への収納を４本同時に実行するためのリング８をキャップの側面１’ｂに摺動可能に周設され、さらにまた該リング８の脱落を防止するためのフランジ１’ｃが前記キャップの上下端部に周設されている。
【００３５】
本実施例の印鑑補助具１’は、図５及び図６に示すように、方向指示棒３の四方への展開と縦溝４への収納とを４本同時に実行するためのリング８をキャップの側面１’ｂに摺動可能に周設され、かつ、該リング８の脱落を防止するためのフランジ１’ｃをキャップの上下端部に周設されていることが異なる以外は、上記実施例１とその構造、作用は同様であるので、以下相違点のみ説明する。
本実施例の印鑑補助具１’では、図５（ｂ）及び図６（ｂ）に示したように、下端部に周設されたフランジ１’上にリング８が位置した時、方向指示棒３が印鑑補助具の側面１’ｂに対して９０度以上展開するように前記方向指示棒３の枢支位置がとられている。
そして、前記リング８を印鑑補助具の側面１’ｂに沿って上方に摺動することによって４本の方向指示棒３を一斉に縦溝４内に収納できるようにしている。また図５（ａ）及び図６（ａ）に示した方向指示棒３が縦溝４に収納された状態から、リング８を印鑑補助具の側面１’ｂに沿って下方に下端部のフランジ１’ｃまで摺動すると、前記方向指示棒３はその自重で四方に展開することになる。
図８に本実施例の印鑑補助具１’を印鑑１０の下部に被冠した時の外観図を示した。
本実施例の印鑑補助具１’は、印鑑１０の上部に着脱自在に被冠できるように構成されているので、印鑑１０の不使用時に印鑑１０の上部から取り外し、該印鑑１０の下部に被冠すれば捺印部１１の保護キャップとして使用できる。
【実施例３】
【００３６】
図９に本発明印鑑補助具の第３の実施例の外観図を示す。図において、１”は印鑑補助具、１”ａは印鑑補助具の上面、１”ｂは印鑑補助具の側面であり、他の記号が示すものは前記実施例１と同じである。
本実施例は、前記実施例１が印鑑１０の上部に被冠するキャップであったのに対して、印鑑１０のほぼ全体を覆う有蓋筒状体であって、図９に示すように、その上面１ａに十文字状の上面パターン２が形設され、また前記上面パターン２の端部から同印鑑補助具１”の側面１”ｂに沿って下方に刻設された４本の縦溝４を有し、かつ前記縦溝４それぞれに方向指示棒３がその下端部を前記縦溝４の下部に展開自在に枢支されて構成されており、その作用は、実施例１の印鑑補助具１と同様である。
本実施例の印鑑補助具１”では、図９（ｂ）に見られるように、方向指示棒３が印鑑１０の捺印部１１の近傍で展開されるので、前記方向指示棒３を捺印物により接近して展開でき、より正確に真っ直ぐな印影を捺印することが可能になる。
なお、本実施例では印鑑１０のほぼ全体が印鑑補助具１”で覆われるため、着脱は実施例１の印鑑補助具１に比べて容易でなくなるきらいがある。したがって、本実施例の印鑑補助具１”は印鑑１０に常時被装しておき、捺印面の保護のためには別途専用キャップを用意することが好ましい。
【実施例４】
【００３７】
図１０に本発明印鑑補助具の第４の実施例の外観図を示す。図において１”’は印鑑補助具、１”’ａは印鑑補助具の上面、１”’ｂは印鑑補助具の側面であり、他の記号が示すものは前記実施例２と同じである。
本実施例の印鑑補助具１”’は、図１０に見られるように実施例２の印影を真っ直ぐに捺印するために印鑑に被装する有蓋筒状の印鑑補助具であって、前記有蓋筒の上面１”’ａに十文字状の上面パターン２が形設され、また前記上面パターン２の端部から同印鑑補助具の側面１”’ｂに沿って下方に刻設された４本の縦溝４を有し、かつ前記縦溝４それぞれに方向指示棒３がその下端部を前記縦溝４の下部に展開自在に枢支され、さらに前記４本の方向指示棒３の四方への展開と縦溝４への収納を４本同時に実行するためのリング８を印鑑補助具の側面１”’ｂに摺動可能に周設され、さらにまた該リング８の脱落を防止するためのフランジ１”’ｃが前記印鑑補助具１”’の上下端部に周設されており、その作用は実施例２の印鑑補助具１’と同じである。
本実施例の印鑑補助具１”’では、図１０（ｂ）に見られるように、方向指示棒３が印鑑１０の捺印部１１の近傍で展開されるので、前記方向指示棒３を捺印物により接近して展開でき、より正確に真っ直ぐな印影を捺印することが可能になる。
なお、本実施例では印鑑１０のほぼ全体が印鑑補助具１”’で覆われるため、着脱は実施例２の印鑑補助具１’に比べて容易でなくなるきらいがある。したがって、本実施例の印鑑補助具１”’は印鑑１０に常時被装しておき、捺印面の保護のためには別途専用キャップを用意することが好ましい。
【００３８】
上記実施例１〜実施例４に示した本発明の印鑑補助具は、いずれも実印をはじめ、認印、銀行印、あるいはインク自給式の印等あらゆる印鑑に適用できるものであり、その素材や形状は限定されるものでなく、使用する印鑑の大きさや形状に合わせてその大きさや形状を調整したものを準備すればよい。
なお、本発明の印鑑補助具は、印鑑ごとに専用の補助具とすることも、複数の印鑑の共通補助具として使用することもできるが、使用時の煩わしさ等を考慮して、印鑑ごとに被冠若しくは被装する専用補助具とすることが好ましい。
【００３９】
なお、上記図１〜図１０では方向指示棒３を長さが変化しないものとして示したが、図１１に示すように太さの異なる筒状体を複数本を繰り出し可能に重ねて挿入するなど長さ調整機構を備えた方向指示棒３であってもよい。
また、図１〜図１０に示した十文字状の上面パターン２、及び側面に刻設された縦溝の下部に枢支された方向指示棒３の縦方向指示パターン３ａ、３ａ’、横方向指示パターン３ｂ、３ｂ’が、上面の十文字の中心から上下左右の４方向に異なる色彩に色分けされてなることも好ましい。例えば、周知の風水パワーを表す色彩としての赤、黄、青、緑等に色分けするとか、あるいは前記４色を交互に配列したパターンにするとかにより、印鑑補助具を用いて捺印する際、意識の高揚と安心感が得られるようになる。
【００４０】
上面パターン２及び／又は縦方向指示パターン３ａ、３ａ’、横方向指示パターン３ｂ、３ｂ’は、外部からの光を反射して光輝する部材で構成することができる。外部からの光を反射して光輝を発する部材としては、単色又は複数色の天然宝石や人工宝石、単色又は複数色の天然宝石又は人工宝石の小片の他、単色又は複数色の透明な合成樹脂で、かつその表面が光りを反射するように加工されてなるもの、又は反射板などを採用することができる。
【００４１】
単色又は複数色の天然宝石又は人工宝石を用いる場合、単色又は複数色の天然宝石又は人工宝石の小片を用いる場合について、図１２、図１３に基づいて説明する。図において１３は宝石、１４は宝石の小片、１５透明接着剤、１６は透明樹脂棒を示す。
上面パターン２に宝石１３を用いる場合は、図１２の宝石を半面露光するように配列した上面パターンの構成図の正面図（ａ）、及び断面図（ｂ）に示すように、印鑑補助具上面１ａに刻設された十文字状の溝に小間隔で配列した宝石１３をその半面が露光されるように透明接着材１５で接着され、また、方向指示パターンに宝石を用いる場合は、宝石１３両面が光輝を発するように宝石１３を透明な樹脂棒１６内に小間隔で配列するよう埋設されるのが好ましい。
【００４２】
また、上面パターン２に宝石の小片１４を用いる場合は、図１３宝石の小片と透明接着材を混合して構成した上面パターンの構成図の正面図（ａ）、及び断面図（ｂ）に示すように、宝石の小片１４と透明接着材１５とを混合したものを、前記印鑑補助具上面１ａに刻設された十文字状の溝に埋め込んで接着し、また、方向指示パターンに宝石を用いる場合は、宝石の小片１４と透明な樹脂とを混合して棒状体に成形するのが好ましい。
【００４３】
なお、宝石１３や宝石の小片１４以外の光輝を発する部材も、印鑑補助具の上面１ａに十文字状に刻設された溝に埋設して配設すると、捺印の妨げとならず、使用による剥離等もなく、使いやすい印鑑補助具１とすることができる。
【００４４】
なお、本発明の印鑑補助具１は、印鑑９の上部に着脱自在に被冠することもできるが、接着剤等で固着して構成することもできる。
【００４５】
次に本発明の印鑑補助具１使用方法について図１４に基づいて説明する。
図において２０は捺印物、２０ａは捺印物の縦方向、２０ｂは捺印物の横方向である。
本発明の印鑑補助具１を印鑑１０に被冠して紙などの捺印物２０の所定個所（図では署名の最後）に捺印する際には、印鑑補助具上面１ａの上面パターン２の縦のライン２ａ、及び展開した方向指示棒３の縦方向指示パターン３ａが、捺印物２０の縦方向２０ａ（例えば、紙の左右の端部）と平行になるように配置する。また同様に、印鑑上面１ａの上面パターン２の横のライン２ｂ、及び展開した方向指示棒３の横方向指示パターン３ｂが、捺印物２０の横方向２０ｂ（例えば、紙の上下の端部）と平行になるように配置する。
そして、その状態を保ったまま捺印することにより、容易に印影を真っ直ぐに押すことができる。
【図面の簡単な説明】
【００４６】
【図１】本発明の印鑑補助具の一実施例の外観図、（ａ）方向指示棒を縦溝に収納した状態、（ｂ）方向指示棒を展開した状態
【図２】図１に示した本発明の印鑑補助具の印鑑への着脱構造の説明図
【図３】図１に示した本発明の印鑑補助具を印鑑の上部に装着した場合の外観図、（ａ）方向指示棒を縦溝に収納した状態、（ｂ）方向指示棒を展開した状態
【図４】図１に示した本発明の印鑑補助具を印鑑の下部に被冠した場合の外観図
【図５】本発明の印鑑補助具の他の実施例の外観図、（ａ）方向指示棒を縦溝に収納した状態、（ｂ）方向指示棒を展開した状態
【図６】図５に示した本発明の印鑑補助具実施例の説明図、（ａ）方向指示棒を縦溝に収納した状態における断面図及び底面図、（ｂ）方向指示棒を展開した状態における断面図及び底面図
【図７】図５に示した本発明の印鑑補助具を印鑑の上部に装着した場合の外観図、（ａ）方向指示棒を縦溝に収納した状態、（ｂ）方向指示棒を展開した状態
【図８】図１に示した本発明の印鑑補助具を印鑑の下部に被冠した場合の外観図
【図９】本発明の印鑑補助具の第３の実施例の外観図、（ａ）方向指示棒を縦溝に収納した状態、（ｂ）方向指示棒を展開した状態
【図１０】本発明の印鑑補助具の第４の実施例の外観図、（ａ）方向指示棒を縦溝に収納した状態、（ｂ）方向指示棒を展開した状態
【図１１】長さ調整機構を備えた方向指示棒の実施例外観図
【図１２】宝石を半面露光するように配列した上面パターンの構成図
【図１３】宝石の小片と透明接着材を混合して構成した上面パターンの構成図
【図１４】本発明の印鑑補助具の使用方法を示す図
【符号の説明】
【００４７】
１、１’、１”、１”’：印鑑補助具
１ａ、１’ａ、１”ａ、１”’ａ：印鑑補助具の上面
１ｂ、１’ｂ、１”ｂ、１”’ｂ：印鑑補助具の側面
１’ｃ、１”’ｃ：フランジ
２：上面パターン
２ａ：上面パターンの縦方向の線
２ｂ：上面パターンの横方向の線
３：方向指示棒
３ａ、３ａ’：縦方向指示パターン
３ｂ、３ｂ’：横方向指示パターン
４：縦溝
５：外側筒体
６：内側筒体
７：浅い溝
８：リング
１０：印鑑
１１：印影部
１２：捺印ガイド用切欠き
１３：宝石
１４：宝石の小片
１５：透明接着材
１６：透明樹脂棒
２０：捺印物
２０ａ：捺印物の縦方向
２０ｂ：捺印物の横方向
【図１】
2008036879.tif 000003
【図２】
2008036879.tif 000004
【図３】
2008036879.tif 000005
【図４】
2008036879.tif 000006
【図５】
2008036879.tif 000007
【図６】
2008036879.tif 000008
【図７】
2008036879.tif 000009
【図８】
2008036879.tif 000010
【図９】
2008036879.tif 000011
【図１０】
2008036879.tif 000012
【図１１】
2008036879.tif 000013
【図１２】
2008036879.tif 000014
【図１３】
2008036879.tif 000015
【図１４】
2008036879.tif 000016